(57)【要約】【課題】  画像形成装置における両面印刷の綴じ方向を利用者に直感的に指定させることができる印刷設定プログラムおよび電子機器を提供する。【解決手段】  撮像部を備える携帯機器によって実行される印刷設定プログラムは、記録媒体の裏返しが実行されたときに（Ｓ１１２でＹＥＳ）この記録媒体に対する裏返しの回転方向を検出する（Ｓ１１３）回転方向検出手段、および、ＭＦＰにおける両面印刷の綴じ方向を設定する（Ｓ１１４）綴じ方向設定手段として携帯機器を機能させ、回転方向検出手段は、撮像部による撮影画像に記録媒体が含まれる場合に（Ｓ１１０でＹＥＳ）、この撮影画像に対する画像処理によって、この記録媒体に対する回転方向を検出し、綴じ方向設定手段は、回転方向検出手段によって検出された回転方向に応じた綴じ方向を設定することを特徴とする。【選択図】  図４
2015011506.tif 000002
【特許請求の範囲】
【請求項１】
撮像デバイスを備える電子機器によって実行される印刷設定プログラムであって、
記録媒体の裏返しが実行されたときにこの記録媒体に対する裏返しの回転方向を検出する回転方向検出手段、および、
画像形成装置における両面印刷の綴じ方向を設定する綴じ方向設定手段として前記電子機器を機能させ、
前記回転方向検出手段は、前記撮像デバイスによる撮影画像に前記記録媒体が含まれる場合に、この撮影画像に対する画像処理によって、この記録媒体に対する前記回転方向を検出し、
前記綴じ方向設定手段は、前記回転方向検出手段によって検出された前記回転方向に応じた前記綴じ方向を設定することを特徴とする印刷設定プログラム。
【請求項２】
前記綴じ方向設定手段は、前記綴じ方向の設定の後、この設定を解除するための前記回転方向である解除用回転方向が前記回転方向検出手段によって検出された場合に、この設定を解除することを特徴とする請求項１に記載の印刷設定プログラム。
【請求項３】
前記解除用回転方向は、前記綴じ方向設定手段が前記回転方向に応じた前記設定を解除する場合、この回転方向とは反対方向であることを特徴とする請求項２に記載の印刷設定プログラム。
【請求項４】
前記綴じ方向設定手段は、連続する２枚の前記記録媒体に対する両面印刷のうち１枚目の前記記録媒体に対する両面印刷の前記設定の後、２枚目の前記記録媒体に対する両面印刷の前記設定の受け付け状態に移行するための前記回転方向である移行用回転方向が前記回転方向検出手段によって検出された場合に、前記２枚目の前記記録媒体に対する両面印刷の前記設定の受け付け状態に移行することを特徴とする請求項１から請求項３までの何れかに記載の印刷設定プログラム。
【請求項５】
前記電子機器は、表示デバイスを備え、
前記印刷設定プログラムは、前記撮影画像を前記表示デバイスに表示させる表示制御手段として前記電子機器を機能させることを特徴とする請求項１から請求項４までの何れかに記載の印刷設定プログラム。
【請求項６】
前記画像形成装置によって印刷される予定の印刷予定画像を取得する印刷予定画像取得手段として前記電子機器を機能させ、
前記表示制御手段は、前記撮影画像に前記記録媒体が含まれる場合に、前記印刷予定画像取得手段によって取得された前記印刷予定画像をこの撮影画像におけるこの記録媒体上に合成した合成画像を、前記表示デバイスに表示させることを特徴とする請求項５に記載の印刷設定プログラム。
【請求項７】
撮像デバイスと、
記録媒体の裏返しが実行されたときにこの記録媒体に対する裏返しの回転方向を検出する回転方向検出手段と、
画像形成装置における両面印刷の綴じ方向を設定する綴じ方向設定手段とを備え、
前記回転方向検出手段は、前記撮像デバイスによる撮影画像に前記記録媒体が含まれる場合に、この撮影画像に対する画像処理によって、この記録媒体に対する前記回転方向を検出し、
前記綴じ方向設定手段は、前記回転方向検出手段によって検出された前記回転方向に応じた前記綴じ方向を設定することを特徴とする電子機器。
【発明の詳細な説明】
【技術分野】
【０００１】
本発明は、画像形成装置における両面印刷の綴じ方向を設定する印刷設定プログラムおよび電子機器に関する。
【背景技術】
【０００２】
従来、画像形成装置における両面印刷の綴じ方向を設定する印刷設定プログラムとして、利用者に綴じ方向を指定させるためのＧＵＩ（Ｇｒａｐｈｉｃａｌ  Ｕｓｅｒ  Ｉｎｔｅｒｆａｃｅ）を含んだ設定画面を表示デバイスに表示するプリンタードライバーが知られている（特許文献１参照。）。
【先行技術文献】
【特許文献】
【０００３】
【特許文献１】特開２０１０−２７７３３７号公報
【発明の概要】
【発明が解決しようとする課題】
【０００４】
しかしながら、従来の印刷設定プログラムにおいては、利用者に綴じ方向を、ＧＵＩを介して指定させるので、利用者が希望している綴じ方向が適切に指定されたかを利用者が認識し難いという問題がある。
【０００５】
そこで、本発明は、画像形成装置における両面印刷の綴じ方向を利用者に直感的に指定させることができる印刷設定プログラムおよび電子機器を提供することを目的とする。
【課題を解決するための手段】
【０００６】
本発明の印刷設定プログラムは、撮像デバイスを備える電子機器によって実行される印刷設定プログラムであって、記録媒体の裏返しが実行されたときにこの記録媒体に対する裏返しの回転方向を検出する回転方向検出手段、および、画像形成装置における両面印刷の綴じ方向を設定する綴じ方向設定手段として前記電子機器を機能させ、前記回転方向検出手段は、前記撮像デバイスによる撮影画像に前記記録媒体が含まれる場合に、この撮影画像に対する画像処理によって、この記録媒体に対する前記回転方向を検出し、前記綴じ方向設定手段は、前記回転方向検出手段によって検出された前記回転方向に応じた前記綴じ方向を設定することを特徴とする。
【０００７】
この構成により、本発明の印刷設定プログラムは、利用者に実際の記録媒体を裏返させることによって、この記録媒体に対する裏返しの回転方向に応じた綴じ方向を設定するので、画像形成装置における両面印刷の綴じ方向を利用者に直感的に指定させることができる。
【０００８】
また、本発明の印刷設定プログラムにおいて、前記綴じ方向設定手段は、前記綴じ方向の設定の後、この設定を解除するための前記回転方向である解除用回転方向が前記回転方向検出手段によって検出された場合に、この設定を解除しても良い。
【０００９】
この構成により、本発明の印刷設定プログラムは、利用者に実際の記録媒体を裏返させることによって綴じ方向を設定した後、この記録媒体を利用者に解除用回転方向に実際に裏返させることによって、綴じ方向の設定を解除するので、綴じ方向の設定の解除を利用者に容易に指示させることができる。
【００１０】
また、本発明の印刷設定プログラムにおいて、前記解除用回転方向は、前記綴じ方向設定手段が前記回転方向に応じた前記設定を解除する場合、この回転方向とは反対方向であっても良い。
【００１１】
この構成により、本発明の印刷設定プログラムは、利用者に実際の記録媒体を裏返させることによって綴じ方向を設定した後、この裏返しの回転方向とは反対方向である解除用回転方向にこの記録媒体を利用者に実際に裏返させる、すなわち、綴じ方向の設定の動作とは反対の動作を利用者に実際に実行させることによって、綴じ方向の設定を解除するので、綴じ方向の設定の解除を利用者に直感的に指示させることができる。
【００１２】
また、本発明の印刷設定プログラムにおいて、前記綴じ方向設定手段は、連続する２枚の前記記録媒体に対する両面印刷のうち１枚目の前記記録媒体に対する両面印刷の前記設定の後、２枚目の前記記録媒体に対する両面印刷の前記設定の受け付け状態に移行するための前記回転方向である移行用回転方向が前記回転方向検出手段によって検出された場合に、前記２枚目の前記記録媒体に対する両面印刷の前記設定の受け付け状態に移行しても良い。
【００１３】
この構成により、本発明の印刷設定プログラムは、利用者に実際の記録媒体を裏返させることによって綴じ方向を設定した後、この記録媒体を利用者に移行用回転方向に実際に裏返させることによって、連続する２枚の記録媒体に対する両面印刷のうち２枚目の前録媒体に対する両面印刷の綴じ方向の設定の受け付け状態に移行するので、２枚目の記録媒体に対する両面印刷の綴じ方向の設定の受け付け状態への移行を利用者に容易に指示させることができる。
【００１４】
また、本発明の印刷設定プログラムにおいて、前記電子機器は、表示デバイスを備え、前記印刷設定プログラムは、前記撮影画像を前記表示デバイスに表示させる表示制御手段として前記電子機器を機能させても良い。
【００１５】
この構成により、本発明の印刷設定プログラムは、利用者に実際の記録媒体を裏返させる場合に、表示デバイスに表示されている撮影画像を利用者に確認させることができるので、記録媒体の裏返しの行為が電子機器によって認識されていることを利用者に確認させることができ、操作性を向上することができる。
【００１６】
また、本発明の印刷設定プログラムは、前記画像形成装置によって印刷される予定の印刷予定画像を取得する印刷予定画像取得手段として前記電子機器を機能させ、前記表示制御手段は、前記撮影画像に前記記録媒体が含まれる場合に、前記印刷予定画像取得手段によって取得された前記印刷予定画像をこの撮影画像におけるこの記録媒体上に合成した合成画像を、前記表示デバイスに表示させても良い。
【００１７】
この構成により、本発明の印刷設定プログラムは、撮像デバイスによる撮影画像における記録媒体上に印刷予定画像を合成した合成画像をプレビュー画像として表示デバイスに表示させるので、両面印刷の結果を利用者に具体的に想像させることができ、結果として、画像形成装置における両面印刷の綴じ方向を利用者に更に直感的に指定させることができる。
【００１８】
本発明の電子機器は、撮像デバイスと、記録媒体の裏返しが実行されたときにこの記録媒体に対する裏返しの回転方向を検出する回転方向検出手段と、画像形成装置における両面印刷の綴じ方向を設定する綴じ方向設定手段とを備え、前記回転方向検出手段は、前記撮像デバイスによる撮影画像に前記記録媒体が含まれる場合に、この撮影画像に対する画像処理によって、この記録媒体に対する前記回転方向を検出し、前記綴じ方向設定手段は、前記回転方向検出手段によって検出された前記回転方向に応じた前記綴じ方向を設定することを特徴とする。
【００１９】
この構成により、本発明の電子機器は、利用者に実際の記録媒体を裏返させることによって、この記録媒体に対する裏返しの回転方向に応じた綴じ方向を設定するので、画像形成装置における両面印刷の綴じ方向を利用者に直感的に指定させることができる。
【発明の効果】
【００２０】
本発明の印刷設定プログラムおよび電子機器は、画像形成装置における両面印刷の綴じ方向を利用者に直感的に指定させることができる。
【図面の簡単な説明】
【００２１】
【図１】本発明の一実施の形態に係る画像形成システムのブロック図である。
【図２】図１に示すＭＦＰのブロック図である。
【図３】図１に示す携帯機器のブロック図である。
【図４】ＭＦＰにおける両面印刷の綴じ方向を設定する場合の図３に示す携帯機器の動作のフローチャートである。
【図５】図４の続きのフローチャートである。
【図６】図４の続きのフローチャートであって、図５に示す処理とは異なる処理を示すフローチャートである。
【図７】図３に示す表示部に表示された撮影画像における記録媒体の天位置の一例を示す図である。
【図８】図４〜図６に示す動作における合成画像表示処理のフローチャートである。
【図９】図３に示す表示部に表示されたプレビュー画像の一例を示す図である。
【図１０】図３に示す表示部に表示されたプレビュー画像の一例を示す図であって、図９に示す例とは異なる例を示す図である。
【図１１】図３に示す表示部に表示されたプレビュー画像の一例を示す図であって、図９および図１０に示す例とは異なる例を示す図である。
【図１２】（ａ）は、綴じ方向が左綴じと設定された場合に表示部に表示されるプレビュー画像の一例である。（ｂ）は、綴じ方向が上綴じと設定された場合に表示部に表示されるプレビュー画像の一例である。
【発明を実施するための形態】
【００２２】
以下、本発明の一実施の形態について、図面を用いて説明する。
【００２３】
まず、本実施の形態に係る画像形成システム１０の構成について説明する。
【００２４】
図１は、本実施の形態に係る画像形成システム１０のブロック図である。
【００２５】
図１に示すように、画像形成システム１０は、ＭＦＰ（Ｍｕｌｔｉｆｕｎｃｔｉｏｎ  Ｐｅｒｉｐｈｅｒａｌ）２０を含む複数のＭＦＰと、これら複数のＭＦＰを管理する例えばＰＣ（Ｐｅｒｓｏｎａｌ  Ｃｏｍｐｕｔｅｒ）などの管理サーバー３０と、例えばスマートフォンなどの携帯機器４０とを備えている。画像形成システム１０の複数のＭＦＰと、管理サーバー３０と、携帯機器４０とは、ＬＡＮ（Ｌｏｃａｌ  Ａｒｅａ  Ｎｅｔｗｏｒｋ）、インターネットなどのネットワーク１１を介して互いに通信可能に接続されている。携帯機器４０は、本発明の電子機器を構成している。
【００２６】
画像形成システム１０の複数のＭＦＰのそれぞれの構成は、ＭＦＰ２０の構成と同様である。したがって、以下においては、画像形成システム１０の複数のＭＦＰを代表してＭＦＰ２０について説明する。
【００２７】
図２は、ＭＦＰ２０のブロック図である。
【００２８】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２９】
操作部２１は、表示部２２とともにタッチパネルを形成する入力デバイスを含んでいても良い。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行することができる。
【００３１】
図３は、携帯機器４０のブロック図である。
【００３２】
図３に示すように、携帯機器４０は、種々の操作が入力されるボタンなどの入力デバイスである操作部４１と、種々の情報を表示するＬＣＤなどの表示デバイスである表示部４２と、静止画または動画を撮影する撮像デバイスである撮像部４３と、ネットワーク１１（図１参照。）経由で外部の装置と通信を行うネットワーク通信デバイスであるネットワーク通信部４４と、プログラムおよび各種のデータを記憶しているＨＤＤなどの不揮発性の記憶装置である記憶部４５と、携帯機器４０全体を制御する制御部４６とを備えている。
【００３３】
操作部４１は、表示部４２とともにタッチパネルを形成する入力デバイスを含んでいても良い。
【００３４】
記憶部４５は、制御部４６によって実行される印刷設定プログラム４５ａを記憶している。印刷設定プログラム４５ａは、携帯機器４０の製造段階で携帯機器４０にインストールされていても良いし、ＵＳＢ（Ｕｎｉｖｅｒｓａｌ  Ｓｅｒｉａｌ  Ｂｕｓ）メモリーなどの記憶媒体から携帯機器４０に追加でインストールされても良いし、ネットワーク１１上から携帯機器４０に追加でインストールされても良い。
【００３５】
制御部４６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４５に記憶されているプログラムを実行することができる。
【００３６】
制御部４６は、記憶部４５に記憶されている印刷設定プログラム４５ａを実行することによって、記録媒体の裏返しが実行されたときにこの記録媒体に対する裏返しの回転方向を検出する回転方向検出手段４６ａ、ＭＦＰにおける両面印刷の綴じ方向を設定する綴じ方向設定手段４６ｂ、撮像部４３による撮影画像を表示部４２に表示させる表示制御手段４６ｃ、および、ＭＦＰによって印刷される予定の印刷予定画像を取得する印刷予定画像取得手段４６ｄとして機能する。
【００３７】
次に、画像形成システム１０の動作について説明する。
【００３８】
まず、複数ページの原稿から画像を読み取って両面印刷の綴じ方向を設定する場合の画像形成システム１０の動作について説明する。
【００３９】
ＭＦＰ２０の制御部２８は、操作部２１を介した指示に応じて、スキャナー２３によって複数ページの原稿から画像を読み取って複数ページの印刷予定画像を生成し、生成した複数ページの印刷予定画像を、ネットワーク通信部２６を介して管理サーバー３０に送信する。
【００４０】
したがって、管理サーバー３０は、ＭＦＰ２０から送信されてきた複数ページの印刷予定画像を受信して記憶する。
【００４１】
次に、ＭＦＰにおける両面印刷の綴じ方向を設定する場合の携帯機器４０の動作について説明する。
【００４２】
携帯機器４０の利用者は、ＭＦＰにおける両面印刷の綴じ方向を設定することを希望する場合に、印刷設定プログラム４５ａを起動することによって、携帯機器４０の制御部４６に図４〜図６に示す動作を実行させる。
【００４３】
図４は、ＭＦＰにおける両面印刷の綴じ方向を設定する場合の携帯機器４０の動作のフローチャートである。図５は、図４の続きのフローチャートである。図６は、図４の続きのフローチャートであって、図５に示す処理とは異なる処理を示すフローチャートである。
【００４４】
図４〜図６に示すように、携帯機器４０の印刷予定画像取得手段４６ｄは、ＭＦＰによって記録媒体に印刷される予定の複数ページの印刷予定画像を、ネットワーク通信部４４を介して取得する（Ｓ１０１）。ここで、印刷予定画像取得手段４６ｄは、ＭＦＰによって複数ページの原稿から生成されて管理サーバー３０によって記憶されている複数ページの印刷予定画像を、管理サーバー３０から取得しても良いし、それ以外の複数ページの印刷予定画像を取得しても良い。例えば、印刷予定画像取得手段４６ｄは、ＭＦＰ２０によって複数ページの原稿から生成されてＭＦＰ２０から携帯機器４０に直接送信されてきた複数ページの印刷予定画像を取得しても良いし、図示していないＰＣによって生成されて携帯機器４０に送信されてきた複数ページの印刷予定画像を取得しても良い。
【００４５】
次いで、携帯機器４０の制御部４６は、印刷予定画像を印刷させるＭＦＰの指定を受け付けるＭＦＰ指定画面を表示部４２に表示させることによって、操作部４１を介したＭＦＰの指定を受け付ける（Ｓ１０２）。
【００４６】
次いで、携帯機器４０の表示制御手段４６ｃは、撮像部４３による撮影画像を表示部４２に表示させる（Ｓ１０３）。
【００４７】
次いで、表示制御手段４６ｃは、撮像部４３による撮影画像に記録媒体が含まれていると判断するまで、撮像部４３による撮影画像に記録媒体が含まれているか否かを判断する（Ｓ１０４）。ここで、表示制御手段４６ｃは、画像認識技術によって撮影画像上の記録媒体自体を認識することによって、撮影画像に記録媒体が含まれていることを認識する。なお、携帯機器４０の利用者は、表示部４２に表示されている撮影画像に記録媒体が含まれるように携帯機器４０の位置および方向を調整することによって、撮像部４３による撮影画像に記録媒体を含ませることができる。
【００４８】
表示制御手段４６ｃは、撮像部４３による撮影画像に記録媒体が含まれているとＳ１０４において判断すると、この撮影画像におけるこの記録媒体の天位置が指定されているか否かを判断する（Ｓ１０５）。携帯機器４０の利用者は、表示部４２に表示されている撮影画像上の記録媒体の天位置を、操作部４１を介して指定することによって、この天位置を指定することができる。
【００４９】
図７は、表示部４２に表示された撮影画像における記録媒体の天位置の一例を示す図である。
【００５０】
図７において、表示部４２に表示された撮影画像５０には、記録媒体５１が含まれている。撮影画像５０上の記録媒体５１には、利用者によって指定された天位置６０が太線で強調されて表されている。
【００５１】
図４〜図６に示すように、表示制御手段４６ｃは、天位置が指定されていないとＳ１０５において判断すると、Ｓ１０４の処理を実行する。
【００５２】
表示制御手段４６ｃは、天位置が指定されているとＳ１０５において判断すると、Ｓ１０１において取得した複数ページの印刷予定画像のうち１ページ目の印刷予定画像を対象とする（Ｓ１０６）。
【００５３】
次いで、表示制御手段４６ｃは、図８に示す合成画像表示処理を実行する（Ｓ１０７）。
【００５４】
図８は、図４〜図６に示す動作における合成画像表示処理のフローチャートである。
【００５５】
図８に示すように、表示制御手段４６ｃは、指定されている天位置を基準として、撮影画像上の記録媒体のサイズを取得する（Ｓ２０１）。具体的には、表示制御手段４６ｃは、撮影画像における記録媒体の縦の長さ（天位置を上とした場合の記録媒体の左辺又は右辺の長さ）と、撮影画像における記録媒体の横の長さ（天位置を上とした場合の上辺または下辺の長さ）とを取得する。
【００５６】
次いで、表示制御手段４６ｃは、対象ページの印刷予定画像と、Ｓ２０１において取得したサイズとに基づいて、対象ページの印刷予定画像に対して、プレビュー画像用の印刷予定画像（以下「プレビュー用印刷予定画像」と言う。）をＳ２０１において取得したサイズで生成する（Ｓ２０２）。ここで、表示制御手段４６ｃは、Ｓ１０２において受け付けられたＭＦＰの出力特性に応じてプレビュー用印刷予定画像の外観を変化させる。例えば、表示制御手段４６ｃは、Ｓ１０２において受け付けられたＭＦＰがモノクロ専用機である場合には、プレビュー用印刷予定画像をモノクロ画像に変化させる。また、表示制御手段４６ｃは、Ｓ１０２において受け付けられたＭＦＰがカラー機である場合であっても、このＭＦＰの色の再現力に応じてプレビュー用印刷予定画像を変化させても良い。
【００５７】
次いで、表示制御手段４６ｃは、Ｓ２０２において生成したプレビュー用印刷予定画像を撮影画像に合成した合成画像を生成する（Ｓ２０３）。このとき、表示制御手段４６ｃは、撮影画像上の記録媒体における特定の位置にプレビュー用印刷予定画像を合成して合成画像を生成する。ここで、撮影画像上の記録媒体における特定の位置は、印刷予定画像が記録媒体に印刷される場合の記録媒体に対する印刷予定画像配置の基準点の位置に対応する。記録媒体に対する印刷予定画像配置の基準点の位置は、例えば、天位置を上とした場合の記録媒体の左上端の位置である。この場合、撮影画像上の記録媒体における特定の位置は、天位置を上とした場合の撮影画像上の記録媒体の左上端の位置になる。
【００５８】
次いで、表示制御手段４６ｃは、Ｓ２０３において生成した合成画像、すなわち、プレビュー画像を表示部４２に表示させて（Ｓ２０４）、図８に示す合成画像表示処理を終了する。すなわち、表示制御手段４６ｃは、例えば図９に示すようなプレビュー画像をＡＲ（Ａｕｇｍｅｎｔｅｄ  Ｒｅａｌｉｔｙ）技術によって表示部４２に表示させる。
【００５９】
図９に示すプレビュー画像７０は、撮影画像５０に、プレビュー用印刷予定画像７１が合成された合成画像である。この合成画像は、記録媒体に対する印刷予定画像配置の基準点の位置が記録媒体の左上端の場合に、天位置６０を上とした場合の撮影画像５０上の記録媒体５１の左上端にプレビュー用印刷予定画像７１の左上端を合わせて、プレビュー用印刷予定画像７１を撮影画像５０に合成して生成された例である。
【００６０】
以上においては、撮影画像５０における記録媒体５１の縦および横が撮影画像５０の縦および横と同一であるが、図１０に示すように、撮影画像５０における記録媒体５１の縦および横の方向が撮影画像５０の縦および横と異なっていても良い。この場合でも、表示制御手段４６ｃは、指定されている天位置６０を基準として、撮影画像５０上の記録媒体５１の縦および横のサイズを取得し、撮影画像５０上の記録媒体５１における特定の位置にプレビュー用印刷予定画像７１を合成して合成画像を生成する。
【００６１】
また、表示制御手段４６ｃは、撮影位置の影響により、撮影画像５０における記録媒体５１の形状が長方形から変化していたとしても、その変化に応じて合成画像におけるプレビュー用印刷予定画像の形状を変化させても良い。例えば、表示制御手段４６ｃは、撮影画像５０における記録媒体５１の形状が図１１に示す形状に変化したとしても、撮影画像５０における記録媒体５１の形状に応じて合成画像におけるプレビュー用印刷予定画像の形状を図１１に示すように変化させることができる。この場合、表示制御手段４６ｃは、図８に示すＳ２０１において、天位置６０を上とした場合の撮影画像５０における記録媒体５１の上辺、下辺、左辺、および右辺の長さを取得して、各辺の長さの比率に応じて、プレビュー用印刷予定画像７１の形状を変化させる。
この構成により、携帯機器４０は、記録媒体に対する撮像部４３による撮影角度が変更されることによって、記録媒体の正面からのプレビュー画像７０だけでなく、記録媒体に対する様々な角度からのプレビュー画像７０を利用者に確認させることができる。
【００６２】
なお、以上においては、印刷予定画像のサイズと、この印刷予定画像を印刷する対象である記録媒体のサイズとが同一の場合の処理について説明している。表示制御手段４６ｃは、印刷予定画像のサイズを印刷予定画像自体から取得することができる。このため、表示制御手段４６ｃは、印刷予定画像のサイズと、記録媒体のサイズとが異なる場合であっても、記録媒体のサイズが操作部４１を介して具体的に指定されることによって、印刷予定画像のサイズと、この記録媒体のサイズとに基づいてプレビュー用印刷予定画像のサイズを適切なサイズで生成することができる。
【００６３】
図４〜図６に示すように、制御部４６は、Ｓ１０７の処理の後、両面印刷が指定されたか否かを判断する（Ｓ１０８）。携帯機器４０の利用者は、操作部４１を介して両面印刷を指定することができる。
【００６４】
制御部４６は、両面印刷が指定されていないとＳ１０８において判断すると、Ｓ１０４の処理を実行する。
【００６５】
制御部４６は、両面印刷が指定されたとＳ１０８において判断すると、両面印刷を設定する（Ｓ１０９）。
【００６６】
次いで、表示制御手段４６ｃは、撮像部４３による撮影画像に記録媒体が含まれているか否かを判断する（Ｓ１１０）。
【００６７】
制御部４６は、撮像部４３による撮影画像に記録媒体が含まれていないとＳ１１０において判断されると、両面印刷の設定を解除する（Ｓ１１１）。
【００６８】
次いで、表示制御手段４６ｃは、Ｓ１０４の処理を実行する。
【００６９】
制御部４６の回転方向検出手段４６ａは、撮像部４３による撮影画像に記録媒体が含まれているとＳ１１０において判断されると、撮像部４３による撮影画像に対する画像処理によって、この撮影画像に含まれている記録媒体が裏返されたか否かを判断する（Ｓ１１２）。携帯機器４０の利用者は、例えば、記録媒体を実際に手で持って裏返すことができる。
【００７０】
表示制御手段４６ｃは、記録媒体が裏返されていないとＳ１１２において判断されると、Ｓ１１０の処理を実行する。
【００７１】
回転方向検出手段４６ａは、記録媒体が裏返されたとＳ１１２において判断すると、撮像部４３による撮影画像に対する画像処理によって、この撮影画像に含まれている記録媒体に対する裏返しの回転方向を検出する（Ｓ１１３）。
【００７２】
次いで、制御部４６の綴じ方向設定手段４６ｂは、Ｓ１１３によって検出された回転方向に応じて、ＭＦＰにおける両面印刷の綴じ方向を設定する（Ｓ１１４）。例えば、綴じ方向設定手段４６ｂは、（ｉ）Ｓ１１３によって検出された回転方向が記録媒体の上端を中心に記録媒体を裏返す回転方向である場合には綴じ方向を「上綴じ」と設定し、（ｉｉ）Ｓ１１３によって検出された回転方向が記録媒体の下端を中心に記録媒体を裏返す回転方向である場合には綴じ方向を「下綴じ」と設定し、（ｉｉｉ）Ｓ１１３によって検出された回転方向が記録媒体の左端を中心に記録媒体を裏返す回転方向である場合には綴じ方向を「左綴じ」と設定し、（ｉｖ）Ｓ１１３によって検出された回転方向が記録媒体の右端を中心に記録媒体を裏返す回転方向である場合には綴じ方向を「右綴じ」と設定する。
【００７３】
次いで、表示制御手段４６ｃは、Ｓ１０１において取得した複数ページの印刷予定画像のうち現在の対象ページの次のページの印刷予定画像を対象とする（Ｓ１１５）。
【００７４】
次いで、表示制御手段４６ｃは、図８に示す合成画像表示処理を実行する（Ｓ１１６）。
【００７５】
Ｓ１１６において表示部４２に表示されるプレビュー画像７０は、例えば図１２に示す画像である。図１２（ａ）は、綴じ方向が左綴じと設定された場合の次のページのプレビュー画像７０の一例である。図１２（ａ）に示すように、天位置６０を上として撮影画像５０上の記録媒体５１に、プレビュー用印刷予定画像７１が合成されて表示されている。このとき、見かけ上の綴じ位置は記録媒体５１の右端となる。図１２（ｂ）は、綴じ方向が上綴じと設定された場合の次のページのプレビュー画像７０の一例である。図１２（ｂ）に示すように、前ページの天位置６０を下として撮影画像５０上の記録媒体５１に、プレビュー用印刷予定画像７１が合成されて表示されている。前ページの天位置６０は、前のページのプレビュー画像では、記録媒体５１の上に表示されていたが、上端を中心に実際の記録媒体を裏返すことにより、次ページのプレビュー画像７１では、記録媒体５１の下に表示されることになる。図１２（ｂ）において、見かけ上の綴じ位置は記録媒体５１の下端となる。図１２における天位置６０は、指定されている天位置であって、前のページの天位置である。
【００７６】
図４〜図６に示すように、制御部４６は、Ｓ１１６の後、Ｓ１０１において取得した複数ページの印刷予定画像の全てのページを対象にしたか否かを判断する（Ｓ１１７）。
【００７７】
表示制御手段４６ｃは、全てのページは対象にしていない、すなわち、未だ対象にしていないページが存在するとＳ１１７において判断されると、撮像部４３による撮影画像に記録媒体が含まれているか否かを判断する（Ｓ１３１）。
【００７８】
綴じ方向設定手段４６ｂは、撮像部４３による撮影画像に記録媒体が含まれていないとＳ１３１において判断されると、両面印刷の設定と、綴じ方向の設定とを解除する（Ｓ１３２）。
【００７９】
次いで、表示制御手段４６ｃは、Ｓ１０４の処理を実行する。
【００８０】
回転方向検出手段４６ａは、撮像部４３による撮影画像に記録媒体が含まれているとＳ１３１において判断されると、Ｓ１１２の処理と同様に、撮像部４３による撮影画像に含まれている記録媒体が裏返されたか否かを判断する（Ｓ１３３）。
【００８１】
表示制御手段４６ｃは、記録媒体が裏返されていないとＳ１３３において判断されると、Ｓ１３１の処理を実行する。
【００８２】
回転方向検出手段４６ａは、記録媒体が裏返されたとＳ１３３において判断すると、Ｓ１１３の処理と同様に、撮像部４３による撮影画像に含まれている記録媒体に対する裏返しの回転方向を検出する（Ｓ１３４）。
【００８３】
次いで、綴じ方向設定手段４６ｂは、対象ページに対してＳ１３４において検出された回転方向が、前のページに対してＳ１１３において検出された回転方向の反対方向であるか否かを判断する（Ｓ１３５）。
【００８４】
綴じ方向設定手段４６ｂは、対象ページに対して検出された回転方向が、前のページに対して検出された回転方向の反対方向であるとＳ１３５において判断すると、直前のＳ１１４において設定した綴じ方向の設定を解除する（Ｓ１３６）。
【００８５】
次いで、表示制御手段４６ｃは、Ｓ１０１において取得した複数ページの印刷予定画像のうち現在の対象ページの前のページの印刷予定画像を対象として（Ｓ１３７）、図８に示す合成画像表示処理を実行する（Ｓ１３８）。
【００８６】
次いで、表示制御手段４６ｃは、Ｓ１１０の処理を実行する。
【００８７】
綴じ方向設定手段４６ｂは、対象ページに対して検出された回転方向が、前のページに対して検出された回転方向の反対方向ではないとＳ１３５において判断すると、対象ページに対してＳ１３４において検出された回転方向が、前のページに対してＳ１１３において検出された回転方向と同一方向であるか否かを判断する（Ｓ１３９）。
【００８８】
表示制御手段４６ｃは、対象ページに対して検出された回転方向が、前のページに対して検出された回転方向と同一方向ではないとＳ１３９において判断されると、裏返しの方向が不適切である旨を表示部４２に表示した後（Ｓ１４０）、図８に示す合成画像表示処理を実行して（Ｓ１４１）、Ｓ１３１の処理を実行する。
【００８９】
表示制御手段４６ｃは、対象ページに対して検出された回転方向が、前のページに対して検出された回転方向と同一方向であるとＳ１３９において判断されると、撮像部４３による撮影画像に記録媒体が含まれているか否かを判断する（Ｓ１４２）。
【００９０】
綴じ方向設定手段４６ｂは、撮像部４３による撮影画像に記録媒体が含まれていないとＳ１４２において判断されると、両面印刷の設定と、綴じ方向の設定とを解除する（Ｓ１４３）。
【００９１】
次いで、表示制御手段４６ｃは、Ｓ１０４の処理を実行する。
【００９２】
表示制御手段４６ｃは、撮像部４３による撮影画像に記録媒体が含まれているとＳ１４２において判断すると、天位置が指定されているか否かを判断する（Ｓ１４４）。携帯機器４０の利用者は、表示部４２に表示されている撮影画像上の記録媒体の天位置を、操作部４１を介して指定することによって、この天位置を指定することができる。
【００９３】
表示制御手段４６ｃは、天位置が指定されていないとＳ１４４において判断すると、Ｓ１４２の処理を実行する。
【００９４】
表示制御手段４６ｃは、天位置が指定されているとＳ１４４において判断すると、Ｓ１０１において取得した複数ページの印刷予定画像のうち現在の対象ページの次のページの印刷予定画像を対象として（Ｓ１４５）、図８に示す合成画像表示処理を実行する（Ｓ１４６）。
【００９５】
次いで、制御部４６は、Ｓ１０１において取得した複数ページの印刷予定画像の全てのページを対象にしたか否かを判断する（Ｓ１４７）。
【００９６】
表示制御手段４６ｃは、全てのページを対象にしたとＳ１４７において判断されると、Ｓ１４６の処理を実行する。
【００９７】
表示制御手段４６ｃは、全てのページは対象にしていない、すなわち、未だ対象にしていないページが存在するとＳ１４７において判断されると、Ｓ１１０の処理を実行する。
【００９８】
表示制御手段４６ｃは、全てのページを対象にしたとＳ１１７において判断されると、撮像部４３による撮影画像に記録媒体が含まれているか否かを判断する（Ｓ１６１）。
【００９９】
綴じ方向設定手段４６ｂは、撮像部４３による撮影画像に記録媒体が含まれていないとＳ１６１において判断されると、両面印刷の設定と、綴じ方向の設定とを解除する（Ｓ１６２）。
【０１００】
次いで、表示制御手段４６ｃは、Ｓ１０４の処理を実行する。
【０１０１】
回転方向検出手段４６ａは、撮像部４３による撮影画像に記録媒体が含まれているとＳ１６１において判断されると、Ｓ１１２の処理と同様に、撮像部４３による撮影画像に含まれている記録媒体が裏返されたか否かを判断する（Ｓ１６３）。
【０１０２】
表示制御手段４６ｃは、記録媒体が裏返されていないとＳ１６３において判断されると、Ｓ１６１の処理を実行する。
【０１０３】
回転方向検出手段４６ａは、記録媒体が裏返されたとＳ１６３において判断すると、Ｓ１１３の処理と同様に、撮像部４３による撮影画像に含まれている記録媒体に対する裏返しの回転方向を検出する（Ｓ１６４）。
【０１０４】
次いで、綴じ方向設定手段４６ｂは、対象ページに対してＳ１６４において検出された回転方向が、前のページに対してＳ１１３において検出された回転方向の反対方向であるか否かを判断する（Ｓ１６５）。
【０１０５】
綴じ方向設定手段４６ｂは、対象ページに対して検出された回転方向が、前のページに対して検出された回転方向の反対方向であるとＳ１６５において判断すると、直前のＳ１１４において設定した綴じ方向の設定を解除する（Ｓ１６６）。
【０１０６】
次いで、表示制御手段４６ｃは、Ｓ１０１において取得した複数ページの印刷予定画像のうち現在の対象ページの前のページの印刷予定画像を対象として（Ｓ１６７）、図８に示す合成画像表示処理を実行する（Ｓ１６８）。
【０１０７】
次いで、表示制御手段４６ｃは、Ｓ１１０の処理を実行する。
【０１０８】
表示制御手段４６ｃは、対象ページに対して検出された回転方向が、前のページに対して検出された回転方向の反対方向ではないとＳ１６５において判断されると、裏返しの方向が不適切である旨を表示部４２に表示した後（Ｓ１６９）、図８に示す合成画像表示処理を実行して（Ｓ１７０）、Ｓ１６１の処理を実行する。
【０１０９】
次に、印刷予定画像をＭＦＰに印刷させる場合の画像形成システム１０の動作について説明する。
【０１１０】
携帯機器４０の制御部４６は、記録媒体に印刷することが操作部４１を介して指示されると、Ｓ１０１において取得した複数ページの印刷予定画像を、両面印刷に関する設定を示す両面印刷設定情報とともに、Ｓ１０２において受け付けたＭＦＰにネットワーク通信部４４を介して送信する。ここで、両面印刷設定情報には、Ｓ１０９において両面印刷が設定されているか否かの情報が含まれている。また、両面印刷設定情報には、両面印刷が設定されている場合、Ｓ１１４において設定された各記録媒体に対する綴じ方向の情報も含まれている。
【０１１１】
したがって、ＭＦＰの制御部は、携帯機器４０から送信されてきた印刷予定画像を、この印刷予定画像とともに携帯機器４０から送信されてきた両面印刷設定情報を使用して、プリンターによって記録媒体に印刷する。すなわち、ＭＦＰの制御部は、両面印刷が設定されていないという情報が両面印刷設定情報に含まれている場合には、携帯機器４０から送信されてきた印刷予定画像を記録媒体に片面印刷する。一方、ＭＦＰの制御部は、両面印刷が設定されているという情報が両面印刷設定情報に含まれている場合には、この両面印刷設定情報に含まれている、各記録媒体に対する綴じ方向の設定の情報に従って、携帯機器４０から送信されてきた印刷予定画像を記録媒体に両面印刷する。
【０１１２】
以上に説明したように、携帯機器４０は、利用者に実際の記録媒体を裏返させることによって、この記録媒体に対する裏返しの回転方向に応じた綴じ方向を設定する（Ｓ１１２〜Ｓ１１４）ので、ＭＦＰにおける両面印刷の綴じ方向を利用者に直感的に指定させることができる。
【０１１３】
携帯機器４０は、利用者に実際の記録媒体を裏返させることによって綴じ方向を設定した（Ｓ１１４）後、この設定を解除するための回転方向である解除用回転方向にこの記録媒体を利用者に実際に裏返させることによって、綴じ方向の設定を解除する（Ｓ１３３〜Ｓ１３６またはＳ１６３〜Ｓ１６６）ので、綴じ方向の設定の解除を利用者に容易に指示させることができる。
【０１１４】
ここで、携帯機器４０は、利用者に実際の記録媒体を裏返させることによって綴じ方向を設定した後、この裏返しの回転方向とは反対方向である解除用回転方向にこの記録媒体を利用者に実際に裏返させる、すなわち、綴じ方向の設定の動作とは反対の動作を利用者に実際に実行させることによって（Ｓ１３５でＹＥＳまたはＳ１６５でＹＥＳ）、綴じ方向の設定を解除する（Ｓ１３３〜Ｓ１３６またはＳ１６３〜Ｓ１６６）ので、綴じ方向の設定の解除を利用者に直感的に指示させることができる。
【０１１５】
なお、携帯機器４０は、解除用回転方向が綴じ方向の設定の回転方向とは反対方向以外の回転方向であっても良い。また、携帯機器４０は、解除用回転方向自体を備えていなくても良い。
【０１１６】
携帯機器４０は、連続する２枚の前記記録媒体に対する両面印刷のうち１枚目の前記記録媒体に対する両面印刷の綴じ方向の設定（Ｓ１１４）の後、２枚目の前記記録媒体に対する両面印刷の綴じ方向の設定の受け付け状態に移行するための回転方向である移行用回転方向が検出された場合（Ｓ１３９でＹＥＳ）に、２枚目の前記記録媒体に対する両面印刷の綴じ方向の設定の受け付け状態（Ｓ１１０でＹＥＳおよびＳ１１２）に移行する。この構成により、携帯機器４０は、利用者に実際の記録媒体を裏返させることによって綴じ方向を設定した後、この記録媒体を利用者に移行用回転方向に実際に裏返させることによって、連続する２枚の記録媒体に対する両面印刷のうち２枚目の記録媒体に対する両面印刷の綴じ方向の設定の受け付け状態に移行するので、２枚目の記録媒体に対する両面印刷の綴じ方向の設定の受け付け状態への移行を利用者に容易に指示させることができる。
【０１１７】
ここで、携帯機器４０は、利用者に実際の記録媒体を裏返させることによって綴じ方向を設定した後、この裏返しの回転方向と同一方向である移行用回転方向にこの記録媒体を利用者に実際に裏返させることによって（Ｓ１３９でＹＥＳ）、２枚目の記録媒体に対する両面印刷の綴じ方向の設定の受け付け状態（Ｓ１１０でＹＥＳおよびＳ１１２）に移行することができる。しかしながら、携帯機器４０は、移行用回転方向が綴じ方向の設定の回転方向と同一方向以外の回転方向であっても良い。例えば、携帯機器４０は、解除用回転方向以外の全ての回転方向が移行用回転方向である構成としても良い。また、携帯機器４０は、例えば、操作部４１を介した特定の操作によって２枚目の記録媒体に対する両面印刷の綴じ方向の設定の受け付け状態に移行する構成である場合や、そもそも連続する複数枚の記録媒体に対する両面印刷の綴じ方向の設定が全て同一となる構成である場合には、移行用回転方向自体を備えていなくても良い。
【０１１８】
携帯機器４０は、撮像部４３による撮影画像における記録媒体上に印刷予定画像を合成した合成画像をプレビュー画像として表示部４２に表示させる（Ｓ２０４）ので、実際の記録媒体の外観をプレビュー画像に反映することができ、結果として、実際の印刷物に近いプレビュー画像を生成することができる。
【０１１９】
携帯機器４０は、画像認識技術によって撮影画像上の記録媒体自体を認識することによって、撮影画像に記録媒体が含まれていることを認識するので、撮影画像に記録媒体が含まれていることを認識するための特別なマーカーが記録媒体上に形成されていなくても、撮影画像における記録媒体上に印刷予定画像を合成した合成画像をプレビュー画像として表示部４２に表示させることができる。
【０１２０】
なお、携帯機器４０は、撮影画像に記録媒体が含まれていることを認識するための特別なマーカーを記録媒体上から読み取ることによって、撮影画像に記録媒体が含まれていることを認識する構成であっても良い。
【０１２１】
携帯機器４０は、記録媒体に印刷予定画像を印刷するＭＦＰが指定されることによって、このＭＦＰの出力特性に応じて合成画像におけるプレビュー用印刷予定画像の外観を変化させるので、印刷予定画像を印刷させるＭＦＰに適したプレビュー画像を容易に表示部４２に表示することができる。
【０１２２】
携帯機器４０は、撮像部４３による撮影画像における記録媒体上に印刷予定画像を合成した合成画像をプレビュー画像として表示部４２に表示させる（Ｓ２０４）ので、両面印刷の結果を利用者に具体的に想像させることができ、結果として、ＭＦＰにおける両面印刷の綴じ方向を利用者に更に直感的に指定させることができる。しかしながら、携帯機器４０は、図４〜図６に示す処理において両面印刷の綴じ方向が設定される場合に、表示部４２にプレビュー画像が表示されない構成としても良い。
【０１２３】
携帯機器４０は、利用者に実際の記録媒体を裏返させる場合に、表示部４２に表示されている撮影画像を利用者に確認させることができるので、記録媒体の裏返しの行為が携帯機器４０によって認識されていることを利用者に確認させることができ、操作性を向上することができる。しかしながら、携帯機器４０は、図４〜図６に示す処理において両面印刷の綴じ方向が設定される場合に、撮像部４３による撮影画像が表示部４２に表示されない構成としても良い。
【０１２４】
なお、画像形成システム１０は、本実施の形態において、本発明の電子機器として携帯機器を備えているが、ＰＣなど、携帯機器以外の電子機器を本発明の電子機器として備えていても良い。
【０１２５】
また、画像形成システム１０は、本実施の形態において、本発明の画像形成装置としてＭＦＰを備えているが、プリンター専用機など、ＭＦＰ以外の画像形成装置を本発明の画像形成装置として備えていても良い。
【符号の説明】
【０１２６】
２０  ＭＦＰ（画像形成装置）
４０  携帯機器（電子機器）
４２  表示部（表示デバイス）
４３  撮像部（撮像デバイス）
４５ａ  印刷設定プログラム
４６ａ  回転方向検出手段
４６ｂ  綴じ方向設定手段
４６ｃ  表示制御手段
４６ｄ  印刷予定画像取得手段
５０  撮影画像
５１  記録媒体
７０  プレビュー画像（合成画像）
７１  プレビュー用印刷予定画像（印刷予定画像）
【図１】
2015011506.tif 000003
【図２】
2015011506.tif 000004
【図３】
2015011506.tif 000005
【図４】
2015011506.tif 000006
【図５】
2015011506.tif 000007
【図６】
2015011506.tif 000008
【図７】
2015011506.tif 000009
【図８】
2015011506.tif 000010
【図９】
2015011506.tif 000011
【図１０】
2015011506.tif 000012
【図１１】
2015011506.tif 000013
【図１２】
2015011506.tif 000014